(57)【特許請求の範囲】
【請求項１】
複数のスイッチ装置で構成されるパケットネットワークで現用系のパスと予備系のパスを設定し前記現用系のパスに障害が発生したとき前記予備系のパスに切り換える冗長方法において、
送信側のスイッチ装置から、前記現用系のパスと前記予備系のパスそれぞれに、同一のフレームを送信し、
受信側のスイッチ装置で、前記現用系のパスと前記予備系のパスそれぞれから受信したフレームを用いて、前記現用系のパスと前記予備系のパスの疎通確認を行い、
前記同一のフレームは、現用系監視用フレームと予備系監視用フレームであり、
前記疎通確認は、受信側のスイッチ装置で前記現用系のパスから受信した前記現用系監視用フレームを透過すると共に前記予備系監視用フレームを破棄し、前記予備系のパスから受信した前記予備系監視用フレームを透過すると共に前記現用系監視用フレームを破棄し、
透過された前記現用系監視用フレームと透過された前記予備系監視用フレームを用いることを特徴とする冗長方法。
【請求項２】
現用系のパスと予備系のパスを設定し前記現用系のパスに障害が発生したとき前記予備系のパスに切り換えるパケットネットワークを構成するスイッチ装置において、
送信側のスイッチ装置から、前記現用系のパスと前記予備系のパスそれぞれに、同一のフレームを送信する送信手段と、
前記現用系のパスから受信した前記現用系監視用フレームを透過すると共に前記予備系監視用フレームを破棄する現用系監視用フレームフィルタ手段と、
前記予備系のパスから受信した前記予備系監視用フレームを透過すると共に前記現用系監視用フレームを破棄する予備系監視用フレームフィルタ手段と、
前記現用系のパスと前記予備系のパスそれぞれから受信したフレームを用いて、前記現用系のパスと前記予備系のパスの疎通確認を行う疎通確認手段と、を有し、
前記同一のフレームは、現用系監視用フレームと予備系監視用フレームであり、
前記疎通確認手段は、透過された前記現用系監視用フレームと透過された前記予備系監視用フレームを用いる
ことを特徴とするスイッチ装置。
【発明の詳細な説明】
【技術分野】
【０００１】
本発明は、複数のスイッチ装置で構成されるパケットネットワークで現用系のパスと予備系のパスを設定し前記現用系のパスに障害が発生したときを前記予備系のパスに切り換える冗長方法及びそれに用いるスイッチ装置に関する。
【背景技術】
【０００２】
Ｅｔｈｅｒｎｅｔ（登録商標）等のパケットネットワークにおけるリンク冗長方法として、従来は次の２つの方法が一般的に用いられている。
【０００３】
第１の方法は、通常時は送信側でＭＡＣアドレスやＩＰアドレスの情報を基に複数の物理インタフェースにフレームを振り分け、受信側で複数の物理インタフェースからの信号を合成し、各物理インタフェースの異常時には、異常が発生した物理インタフェースを振り分けから除外することによりプロテクションを行うリンクアグリゲーション（ＬｉｎｋＡｇｇｒｅｇａｔｉｏｎ：ＬＡＧ）方式である。
【０００４】
第２の方法は、図１に示すように、送信側スイッチ装置１のイングレス（Ｉｎｇｒｅｓｓ）部２で全てのフレームを２つにコピーして、同じフレームをスイッチ部３からイグレス（Ｅｇｒｅｓｓ）部４，５の物理インタフェース４ａ，５ａ（現用系又は予備系）を通して送信し、受信側スイッチ装置６の２つのイングレス部７，８の物理インタフェース７ａ，８ａで受信し、この２つの受信フレームのうち、片側の現用系イングレス部７のみを選択して用い、予備系イングレス部８の受信フレームは破棄する。そして、現用系の異常時には予備系に選択を切り替える１＋１切り替え方式である。
【０００５】
ＬＡＧ方式はトラフィック振り分け方法を再計算することが必要であるのに比べ、１＋１切り替え方式は、異常発生時の切り替え論理が単純な切り替えであることから高速な切り替え（＜５０ｍｓ等）が可能という利点がある。
【０００６】
一方、ＬＡＧ方式又は１＋１切り替え方式の切り替えトリガとしての受信トラフィック正常性の確認は、物理インタフェースのＬｉｎｋＤｏｗｎ，ＬｏＳ（Ｌｏｓｓ  ｏｆ  Ｌｉｇｈｔ：光入力断）やフレームのＦＣＳ（Ｆｌａｍｅ  Ｃｈｅｃｋ  Ｓｅｑｕｅｎｃｅ）のエラー検出が一般的に用いられている。
【０００７】
なお、特許文献１には、広域イーサネット（登録商標）網においてクライアント回線で検出された障害を通知するカプセルを具備し、このカプセルが正常か否かを示すＦＳＣ領域を持って送出され、一方、この情報を受けて伝送媒体網レイヤの異状を検出することが記載されている。
【０００８】
また、特許文献２には、現用系シーケンスナンバー付与部及び予備系シーケンスナンバー付与部において同数のシーケンスナンバーを付与することで、この番号の正常性を確認し、セルの損失又はセルの順序逆転を検出することが記載されている。
【特許文献１】特開２００４−３２０６８３号公報
【特許文献２】特開平７−３２１８１０号公報
【発明の開示】
【発明が解決しようとする課題】
【０００９】
現状の１＋１切り替え方式において、図２（Ａ）に示す送信フレームのＦＣＳは、各物理インタフェース４ａ，５ａの前段のＭＡＣ処理部４ｂ，５ｂにおいて再計算されて、図２（Ｂ）に示す装置内フレームに付与されている。なお、図２（Ａ），（Ｂ）において、Ｐｒｅ／ＳＦＤはＰｒｅａｍｂｌｅ／ＳＦＤ（Ｓｔａｒｔ  ｏｆ  Ｆｒａｍｅ  Ｄｅｌｉｍｉｔｅｒ）であり、ＤＡはＤｅｓｔｉｎａｔｉｏｎ  Ａｄｄｒｅｓｓ、ＳＡはＳｏｕｒｃｅ  Ａｄｄｒｅｓｓ、ＶＬＡＮはＩＥＥＥ８０２．１ｑで規定されるＶＬＡＮ（Ｖｉｒｔｕａｌ  ＬＡＮ：仮想ネットワーク）タグであり、ＶＬＡＮ＿ＩＤ（仮想ネットワーク識別子）を含む。Ｔ／ＬはＴｙｐｅ  ｏｒ  Ｌｅｎｇｔｈ、ＤａｔａはＬａｙｅｒ３  Ｄａｔａ、  ＦＣＳ＝Ｆｌａｍｅ  Ｃｈｅｃｋ  Ｓｅｑｕｅｎｃｅである。また、内部ヘッダは、スイッチ方路情報等の内部管理情報でありスイッチ装置内で付与される。
【００１０】
また、装置内の各ブロック区間は図２（Ｃ）に示すように、パリティ付与とパリティチェック等で監視されており、この区間の異常については装置故障として検出される。なお、Ｐａｒｉｔｙは、内部ヘッダからデータまでを範囲として計算している。
【００１１】
しかし、図３に示すように、例えばＭＡＣ処理部５ｂの前段の信号処理部５ｃに異常があった場合には、信号処理部５ｃの出口側で正常なパリティを付与され、また、ＭＡＣ処理部５ｂで正常なＦＣＳが付与され、装置自身ではエラー状態を検出することができず、１＋１冗長系においては、対向するスイッチ装置６の受信側予備系についてのＦＣＳチェックが正常となり、予備系の異常が発生しているにも関わらず保守者に通知されない状態、すなわちサイレントアラーム状態となる。
【００１２】
なお、ＬＡＧ方式においては実トラフィックが物理インタフェースに振り分けられているため、完全なサイレントアラーム状態とはならない。
【００１３】
上記サイレントアラーム状態において現用系に異常が発生した場合、切り替え動作の結果、予備系に切り替えが発生することで冗長が救済されずにトラフィックがダウンしてしまうという問題があった。
【００１４】
本発明は、上記の点に鑑みなされたものであり、１＋１切り替え方式における予備系のサイレントアラーム状態の発生を防止できる冗長方法及びスイッチ装置を提供することを目的とする。
【課題を解決するための手段】
【００１５】
本発明の一実施態様による冗長方法は、複数のスイッチ装置で構成されるパケットネットワークで現用系のパスと予備系のパスを設定し前記現用系のパスに障害が発生したとき前記予備系のパスに切り換える冗長方法において、
送信側のスイッチ装置から、前記現用系のパスと前記予備系のパスそれぞれに、同一のフレームを送信し、
受信側のスイッチ装置で、前記現用系のパスと前記予備系のパスそれぞれから受信したフレームを用いて、前記現用系のパスと前記予備系のパスの疎通確認を行い、
前記同一のフレームは、現用系監視用フレームと予備系監視用フレームであり、
前記疎通確認は、受信側のスイッチ装置で前記現用系のパスから受信した前記現用系監視用フレームを透過すると共に前記予備系監視用フレームを破棄し、前記予備系のパスから受信した前記予備系監視用フレームを透過すると共に前記現用系監視用フレームを破棄し、
透過された前記現用系監視用フレームと透過された前記予備系監視用フレームを用いることにより、予備系のサイレントアラーム状態の発生を防止できる。
【００１７】
本発明の一実施態様によるスイッチ装置は、現用系のパスと予備系のパスを設定し前記現用系のパスに障害が発生したとき前記予備系のパスに切り換えるパケットネットワークを構成するスイッチ装置において、
送信側のスイッチ装置から、前記現用系のパスと前記予備系のパスそれぞれに、同一のフレームを送信する送信手段と、
前記現用系のパスから受信した前記現用系監視用フレームを透過すると共に前記予備系監視用フレームを破棄する現用系監視用フレームフィルタ手段と、
前記予備系のパスから受信した前記予備系監視用フレームを透過すると共に前記現用系監視用フレームを破棄する予備系監視用フレームフィルタ手段と、
前記現用系のパスと前記予備系のパスそれぞれから受信したフレームを用いて、前記現用系のパスと前記予備系のパスの疎通確認を行う疎通確認手段と、を有し、
前記同一のフレームは、現用系監視用フレームと予備系監視用フレームであり、
前記疎通確認手段は、透過された前記現用系監視用フレームと透過された前記予備系監視用フレームを用いることにより、予備系のサイレントアラーム状態の発生を防止できる。
【発明の効果】
【００１９】
本発明によれば、１＋１切り替え方式における予備系のサイレントアラーム状態の発生を防止できる。
【発明を実施するための最良の形態】
【００２０】
以下、図面に基づいて本発明の実施形態について説明する。
【００２１】
＜本発明の原理＞
（１）１＋１両系受信
現用系、予備系それぞれの監視用ＶＬＡＮフレームを設定する。具体的なＶＬＡＮ＿ＩＤの値はオペレータから設定を行う。１＋１送信側の構成は従来通りとし、受信側でこれまで予備系は全てのフレームを破棄処理していたのに対し、予備系監視用ＶＬＡＮを透過する構成として、透過した予備系監視用ＶＬＡＮを後段の処理部へ転送する。現用系、予備系それぞれに装置間で現用系、予備系それぞれの監視用ＶＬＡＮ＿ＩＤを持つピング（Ｐｉｎｇ）等を用いて疎通確認を行うことで、現用系、予備系それぞれの通信に異常が発生したことを検出し、サイレントアラーム状態を回避できる構成とする。
【００２２】
（２）フレーム比較
１＋１送信側で、各フレームにシーケンス番号を付与して１＋１フレームコピーを行う。１＋１冗長の受信側において、現用系、予備系のそれぞれの受信フレームを抽出して、バッファリングする。現用系、予備系それぞれのバッファ内のシーケンス番号が同じフレームを比較することにより、現用系、予備系いずれかの通信に異常が発生したことを検出する。
【００２３】
上記（１），（２）の少なくともいずれか一方を用いることにより、１＋１冗長区間での現用系、予備系それぞれの信号監視を行い、１＋１冗長におけるサイレントアラーム状態を回避する。
【００２４】
以下、本発明をシャーシ型レイヤ２スイッチ装置に適用した場合を例にして説明する。シャーシ型レイヤ２スイッチは各物理インタフェースがＬＩＵ（Ｌｉｎｅ  Ｉｎｔｅｒｆａｃｅ  Ｕｎｉｔ）上で分割実装されている。
【００２５】
＜第１実施形態：１＋１両系受信＞
図４と図５は、本発明方法の第１実施形態の構成図を示す。
【００２６】
図４は正常時について説明するための構成図である。同図中、送信側のスイッチ装置１０におけるイングレス部１１の信号処理部１１ａには、図２（Ｂ）に示すフォーマットのＶＬＡＮ＿ＩＤ＝Ａの現用系監視用の装置内フレームと、予備系監視用のＶＬＡＮ＿ＩＤ＝Ｂの装置内フレームと、一般信号（主信号等）のＶＬＡＮ＿ＩＤ＝ｘ（ｘはＡ，Ｂ以外の値）の装置内フレームが供給される。なお、図４，図５、図６では「ＶＬＡＮ＿ＩＤ」はＶＬＡＮ内に含まれるので「ＶＬＡＮ」と記す。
【００２７】
信号処理部１１ａはこれらのフレームをコピーしてスイッチ部１３に供給する。このとき、コピー元の装置内フレームの内部ヘッダは現用系の方路を指示するスイッチ方路情報が付与されているが、コピー後の装置内フレームの内部ヘッダは予備系の方路を指示するスイッチ方路情報が付与される。
【００２８】
スイッチ部１３は、装置内フレームに付与されている内部ヘッダにしたがってスイッチングを行って、コピー元の装置内フレーム（ＶＬＡＮ＿ＩＤ＝Ａ，Ｂ，ｘ）を現用系イグレス部１４に供給し、コピー後の装置内フレーム（ＶＬＡＮ＿ＩＤ＝Ａ，Ｂ，ｘ）を予備系イグレス部１５に供給する。
【００２９】
そして、現用系イグレス部１４の物理インタフェース１４ａは上記現用系の装置内フレームを送信フレームに変換して回線（パス）１６から受信側のスイッチ装置２０の現用系イングレス部２１に送信し、予備系イグレス部１５の物理インタフェース１５ａは上記予備系の装置内フレームを送信フレームに変換して回線（パス）１７から受信側のスイッチ装置２０の予備系イングレス部２２に送信する。
【００３０】
受信側のスイッチ装置２０の現用系イングレス部２１において、物理インタフェース２１ａは受信した現用系の送信フレームを現用系の装置内フレームに変換して信号処理部２１ｂに供給する。信号処理部２１ｂは、ＶＬＡＮ＿ＩＤ＝Ａの現用系監視用の装置内フレームと、一般信号のＶＬＡＮ＿ＩＤ＝ｘの装置内フレームを透過して後続回路に供給し、予備系監視用のＶＬＡＮ＿ＩＤ＝Ｂの装置内フレームを破棄するフィルタ処理を行う。
【００３１】
一方、受信側のスイッチ装置２０の予備系イングレス部２２において、物理インタフェース２２ａは受信した予備系の送信フレームを予備系の装置内フレームに変換して信号処理部２２ｂに供給する。信号処理部２２ｂは予備系監視用のＶＬＡＮ＿ＩＤ＝Ｂの装置内フレームを透過して後続回路に供給し、ＶＬＡＮ＿ＩＤ＝Ａの現用系監視用の装置内フレームと、一般信号のＶＬＡＮ＿ＩＤ＝ｘの装置内フレームを破棄するフィルタ処理を行う。
【００３２】
つまり、信号処理部２１ｂではＶＬＡＮ＿ＩＤ＝Ａの装置内フレームを検出することで現用系の障害の有無を検出することができる。また、信号処理部２２ｂではＶＬＡＮ＿ＩＤ＝Ｂの装置内フレームを検出することで予備系の障害の有無を検出することができ、サイレントアラーム状態を回避できる。
【００３３】
図５は障害時について説明するためのものである。スイッチ装置１０，２０間の現用系の回線１６に障害があった場合、信号処理部２１ｂ，２２ｂのフィルタリング条件切り替えることによりプロテクション動作を行う。
【００３４】
これまで現用系であった信号処理部２１ｂのフィルタリング条件が、これまで予備系であった信号処理部２２ｂのフィルタリング条件（ＶＬＡＮ＿ＩＤ＝Ａ，ｘの装置内フレームの透過）となり、これまで予備系であった信号処理部２２ｂのフィルタリング条件がこれまで現用系であった信号処理部２１ｂのフィルタリング条件（ＶＬＡＮ＿ＩＤ＝Ｂの装置内フレームの取り出し）で動作を行う。この場合、回線断によりＶＬＡＮ＿ＩＤ＝Ｂの予備系監視用の装置内フレームについては断の状態となるが、スイッチ装置１０，２０間の回線復旧と共に、ＶＬＡＮ＿ＩＤ＝Ｂの装置内フレームが疎通することにより、予備系の復旧確認を行うことができる。
【００３５】
図６は、ＶＬＡＮ＿ＩＤ＝Ａの現用系監視用の装置内フレーム及びＶＬＡＮ＿ＩＤ＝Ｂの予備系監視用の装置内フレームを用い、ピングによる疎通確認を行う構成図を示す。
【００３６】
同図中、スイッチ装置１０のＣＰＵ（監視制御部）１８は、スイッチ装置のスイッチング制御及び監視制御を行うものであるが、主信号帯域にピングを挿入して送受信を行うフレーム送受信機能部１８ａを有しており、更に、図示しないイングレス部の信号処理部におけるフィルタ条件を設定するフィルタ条件設定機能部１８ｂと、アラームを発生して監視ネットワーク５０に送出するアラーム機能部１８ｃを有している。
【００３７】
スイッチ装置２０，３０それぞれのＣＰＵ（監視制御部）２８，３８も、同様にフレーム送受信機能部２８ａ，３８ａ、フィルタ条件設定機能部２８ｂ，３８ｂ、アラーム機能部２８ｃ，３８ｃを有しているが、この実施形態では少なくともフレーム送受信機能部１８ａ，３８ａ，フィルタ条件設定機能部２８ｂ，３８ｂ，アラーム機能部１８ｃがあれば良い。
【００３８】
スイッチ装置１０のフレーム送受信機能部１８ａはＶＬＡＮ＿ＩＤ＝Ａ，Ｂそれぞれのピングフレームを生成してスイッチ装置３０のフレーム送受信機能部１８ａに送信し、スイッチ装置３０のフレーム送受信機能部１８ａから送信されるＶＬＡＮ＿ＩＤ＝Ａ，Ｂそれぞれのピング応答フレームを受信することで現用系、予備系それぞれのピング疎通確認を行い、ピング疎通確認ができないときアラーム機能部１８ｃにその旨を通知する。アラーム機能部１８ｃは、現用系、予備系それぞれのピング疎通確認ができない旨の通知を受けると、現用系、予備系それぞれのアラームを生成して監視ネットワーク５０を経由してＮＭＳ（Ｎｅｔｗｏｒｋ  Ｍａｎａｇｅｍｅｎｔ  Ｓｙｓｔｅｍ）５１に通知する。これによって、保守者に対しアラームが通知される。
【００３９】
スイッチ装置２０，３０のフィルタ条件設定機能部２８ｂ，３８ｂは、イングレス部２１，３１，２２，３２それぞれのフィルタリング条件の設定と切り替えを制御する。
【００４０】
ここで、スイッチ装置１０のＣＰＵ（監視制御部）１８のフレーム送受信機能部１８ａで生成されてＣＰＵ（監視制御部）１８から送信されたＶＬＡＮ＿ＩＤ＝Ａのピングフレームは、スイッチ部１３，イグレス部１４，回線１６，スイッチ装置２０のイングレス部２１，スイッチ部２３，イグレス部２４，回線２６，スイッチ装置３０のイングレス部３１，スイッチ部３３の経路でＣＰＵ（監視制御部）３８に至る。
【００４１】
スイッチ装置３０のＣＰＵ（監視制御部）３８のフレーム送受信機能部１８ａでは受信したＶＬＡＮ＿ＩＤ＝Ａのピングフレームに応答するＶＬＡＮ＿ＩＤ＝Ａのピング応答フレームを生成し、上記と逆の経路でスイッチ装置１０のＣＰＵ（監視制御部）１８のフレーム送受信機能部１８ａに送信される。このピング疎通確認を定期的に実行することで現用系の正常性の確認を行うことができる。
【００４２】
ここで、ＣＰＵ（監視制御部）１８から送信されたＶＬＡＮ＿ＩＤ＝Ａのピングフレームは、スイッチ部１３，イグレス部１５，回線１７の経路でスイッチ装置２０のイングレス部２２に至り、このイングレス部２２で破棄される。同様に、イングレス部２１でコピーされたＶＬＡＮ＿ＩＤ＝Ａのピングフレームはスイッチ部２３，イグレス部２５，回線２７，スイッチ装置３０のイングレス部３２に至り、このイングレス部３２で破棄される。
【００４３】
一方、スイッチ装置１０のＣＰＵ（監視制御部）１８のフレーム送受信機能部１８ａで生成されてＣＰＵ（監視制御部）１８から送信されたＶＬＡＮ＿ＩＤ＝Ｂのピングフレームは、スイッチ部１３，イグレス部１５，回線１７，スイッチ装置２０のイングレス部２２，スイッチ部２３，イグレス部２５，回線２７，スイッチ装置３０のイングレス部３２，スイッチ部３３の経路でＣＰＵ（監視制御部）３８に至る。
【００４４】
スイッチ装置３０のＣＰＵ（監視制御部）３８のフレーム送受信機能部１８ａでは受信したＶＬＡＮ＿ＩＤ＝Ｂのピングフレームに応答するＶＬＡＮ＿ＩＤ＝Ｂのピング応答フレームを生成し、上記と逆の経路でスイッチ装置１０のＣＰＵ（監視制御部）１８のフレーム送受信機能部１８ａに送信される。このピング疎通確認を定期的に実行することで予備系の正常性の確認を行うことができる。
【００４５】
なお、ＣＰＵ（監視制御部）１８から送信されたＶＬＡＮ＿ＩＤ＝Ｂのピングフレームは、スイッチ部１３，イグレス部１４，回線１６の経路でスイッチ装置２０のイングレス部２１に至り、このイングレス部２１で破棄される。同様に、イングレス部２２でコピーされたＶＬＡＮ＿ＩＤ＝Ｂのピングフレームはスイッチ部２３，イグレス部２４，スイッチ装置３０のイングレス部３１に至り、このイングレス部３１で破棄される。
【００４６】
なお、一般信号（主信号等）のＶＬＡＮ＿ＩＤ＝ｘ（ｘはＡ，Ｂ以外の値）の装置内フレームの流れは、図４と同様である。
【００４７】
＜第２実施形態：フレーム比較＞
図７は、本発明方法の第２実施形態の構成図を示す。同図中、送信側のスイッチ装置１０におけるイングレス部１１の信号処理部１１ｂには、一般信号（主信号等）のＶＬＡＮ＿ＩＤ＝ｘ（ｘはあらゆる値）の装置内フレームが供給される。
【００４８】
信号処理部１１ｂは、このフレームにシーケンス番号（Ｓｅｑ＃）を付与し、コピーしてスイッチ部１３に供給する。信号処理部１１ｂは、シーケンス番号を初期値０からフレームが供給される毎に１だけインクリメントして付与する。また、コピー元の装置内フレームの内部ヘッダには現用系の方路を指示するスイッチ方路情報が付与されているが、コピー後の装置内フレームの内部ヘッダには予備系の方路を指示するスイッチ方路情報が付与される。
【００４９】
図８（Ａ），（Ｂ）を用いて装置内フレームへのシーケンス番号の付与を説明する。送信側のスイッチ装置１０の起動、リセット、物理インタフェースのＬｉｎｋＤｏｗｎからの復帰により、シーケンス番号の初期化（ゼロリセット）を行い、装置内フレームが供給される毎にインクリメントしたシーケンス番号を図８（Ａ）に示す装置内フレームに付与して図８（Ｂ）に示す装置内フレームとする。シーケンス番号はカウンタオーバを回避するためのフィールド長を確保する。図８（Ｂ）では３２ビット長で示されているが、必要に応じて６４ビット長等に拡大しても良い。
【００５０】
スイッチ部１３は、装置内フレームに付与されている内部ヘッダにしたがってスイッチングを行って、コピー元の装置内フレームを現用系イグレス部１４に供給し、コピー後の装置内フレームを予備系イグレス部１５に供給する。
【００５１】
そして、現用系イグレス部１４の物理インタフェース１４ａは上記現用系の装置内フレームを送信フレームに変換して回線１６から受信側のスイッチ装置２０の現用系イングレス部２１に送信し、予備系イグレス部１５の物理インタフェース１５ａは上記予備系の装置内フレームを送信フレームに変換して回線１７から受信側のスイッチ装置２０の予備系イングレス部２２に送信する。
【００５２】
受信側のスイッチ装置２０の現用系イングレス部２１において、物理インタフェース２１ａは受信した現用系の送信フレームを現用系の装置内フレームに変換して信号処理部２１ｃに供給する。信号処理部２１ｃは、受信した装置内フレームをフレームバッファ２９に渡すと共に、受信した装置内フレームからシーケンス番号のみを削除してスイッチ部２３に転送する。
【００５３】
一方、受信側のスイッチ装置２０の予備系イングレス部２１において、物理インタフェース２２ａは受信した予備系の送信フレームを予備系の装置内フレームに変換して信号処理部２２ｃに供給する。信号処理部２２ｃは、受信した装置内フレームをフレームバッファ２９に渡し、スイッチ部２３には転送することなく破棄する。
【００５４】
スイッチ装置２０のＣＰＵ（監視制御部）２８は、フレーム送受信機能部２８ａ、アラーム機能部２８ｃ、比較機能部２８ｄを有しており、スイッチ装置１０のＣＰＵ（監視制御部）１８も同様にフレーム送受信機能部１８ａ、アラーム機能部１８ｃ、比較機能部１８ｄ及びフレームバッファ１９を有しているが、この実施形態ではＣＰＵ（監視制御部）１８は少なくともフレーム送受信機能部１８ａを有していれば良い。
【００５５】
図９（Ａ），（Ｂ）にフレームバッファ２９の構成を示す。フレームバッファ２９は現用系フレームバッファ２９ａと予備系フレームバッファ２９ｂから構成されている。図９（Ａ）に示すフレームバッファ２９ａは現用系の装置内フレームを格納し、図９（Ｂ）に示すフレームバッファ２９ｂは予備系の装置内フレームを格納する。
【００５６】
フレームバッファ２９ａ，２９ｂそれぞれは受信フレームデータをそのまま複数フレーム格納できるものであり、インデックスとしてバッファ番号及び受信したフレームに付与されているシーケンス番号を保持する。バッファの容量は１０００フレームとして図示しているが、これは現用系と予備系における受信フレームの位相差（時間差）によって容量を決定する。
【００５７】
図１０は、比較機能部２８ｄが実行する異常検出処理のフローチャートを示す。この処理は、装置起動、リセット、物理インタフェースのＬｉｎｋＤｏｗｎからの復帰のいずれかによってスタートされる。
【００５８】
同図中、ステップＳ１でＬｉｎｋＤｏｗｎ復旧からの信号安定のため所定時間（例えば数ｓｅｃ）の待機し、ステップＳ２で、その時点で現用系フレームバッファ２９ａに格納されているシーケンス番号の最大値と予備系フレームバッファ２９ｂに格納されているシーケンス番号の最大値のうち大きい方を最新のシーケンス番号として変数ＭＡＣＴＨＷＡＩＴ＃にセットする。
【００５９】
次に、ステップＳ３で現用系フレームバッファ２９ａ内のシーケンス番号がＭＡＣＴＨＷＡＩＴ＃と一致する装置内フレームの全内容と、予備系フレームバッファ２９ｂ内のシーケンス番号がＭＡＣＴＨＷＡＩＴ＃と一致する装置内フレームの全内容とを比較する。なお、ステップＳ３では両装置内フレームの所定項目（例えばデータ部）を比較するようにしても良い。
【００６０】
上記比較で一致の場合、ステップＳ４でＭＡＴＣＨＷＡＩＴ＃を１だけインクリメントして次に比較するシーケンス番号とし、ステップＳ５でタイマを初期化し、ステップＳ３に進んで、次のシーケンス番号の装置内フレームを比較する。ここで、タイマは初期値Ｎから時間によりカウントダウンされるタイマ値であり、初期値Ｎは現用系と予備系の位相差（時間差）の許容値を超える値を設定する。
【００６１】
上記比較で不一致の場合、ステップＳ６でタイマがタイムアウトしているか否かを判別し、タイムアウトしていない場合は、ステップＳ３に進んで再度フレーム比較を継続する。一方、タイマがタイムアウトしている場合にはステップＳ７でアラーム機能部２８ｃにその旨を通知する。
【００６２】
上記の同一シーケンス番号の装置内フレームの比較によって判別可能なのは、現用系、予備系のいずれかでエラーが生じていることである。しかし、スイッチ装置２０のＣＰＵ（監視制御部）２８のフレーム送受信機能部２８ａから例えば現用系の経路（スイッチ部２３，イングレス部２１、スイッチ装置１０のイグレス部１４，スイッチ部１３の経路）でＣＰＵ（監視制御部）１８にピングフレームを送信し、その逆の経路でピング応答フレームを受信することにより、現用系の経路のピング疎通確認を行う。勿論、予備系の経路にピングフレームを送信し、その逆の経路でピング応答フレームを受信する構成としても良い。
【００６３】
これによって、現用系の経路に異常がなく、フレーム比較によるアラームがある場合には予備系の経路の異常と判別することができ、予備系の経路の異常を判別することが可能となり、サイレントアラーム状態を回避できる。
【００６４】
アラーム機能部２８ｃは現用系、予備系それぞれのアラームを生成して監視ネットワーク５０を経由してＮＭＳ５１に通知する。これによって、保守者に対しアラームが通知される。
【００６５】
上記実施形態によれば、１＋１切り替え方式における予備系の障害を確実に検出してサイレントアラーム状態の発生を防止することができる。
【００６６】
なお、上記実施形態では、ピングフレームを用いて疎通確認を行っているが、ピングフレームの代りに、例えばＯＡＭ（Ｏｐｅｒａｔｉｏｎ，  Ａｄｍｉｎｉｓｔｒａｔｉｏｎ，ａｎｄ  Ｍａｎａｇｅｍｅｎｔ）フレーム等の別のフレームを用いても良い。
【００６７】
なお、上記実施形態では、監視用フレーム送信手段の一例としてフレーム送受信機能部１８ａを用い、現用系監視用フレームフィルタ手段の一例としてイングレス部３１，スイッチ部３３を用い、予備系監視用フレームフィルタ手段の一例としてイングレス部３２，スイッチ部３３を用い、疎通確認手段の一例としてフレーム送受信機能部１８ａを用い、シーケンス番号付与手段の一例として信号処理部１１ｂを用い、格納手段の一例としてフレームバッファ２９を用い、比較手段の一例として比較機能部２８ｄを用い、監視用フレーム送受信手段の一例としてフレーム送受信機能部１８ａ，２８ａを用いている。
【図面の簡単な説明】
【００６８】
【図１】従来の１＋１切り替え方式を説明するための図である。
【図２】送信フレームと装置内フレーム及びパリティチェックを説明するための図である。
【図３】サイレントアラームを説明するための図である。
【図４】本発明方法の第１実施形態の正常時の構成図である。
【図５】本発明方法の第１実施形態の異常時の構成図である。
【図６】本発明方法の第１実施形態のピングによる疎通確認を行う構成図である。
【図７】本発明方法の第２実施形態の構成図である。
【図８】本発明方法の第２実施形態を説明するための構成図である。
【図９】フレームバッファ２９の構成を示す図である。
【図１０】異常検出処理のフローチャートである。
【符号の説明】
【００６９】
１０，２０，３０  スイッチ装置
１１，２１，２２  イングレス部
１１ａ，１１ｂ，２１ｂ，２２ｂ，２１ｃ，２２ｃ  信号処理部
１３，２３，３３  スイッチ部
１４，１５，２４，２５  イグレス部
１６，１７，２６，２７  回線
１８，２８，３８  ＣＰＵ（監視制御）
１８ａ，２８ａ，３８ａ  フレーム送受信機能部
１８ｂ，２８ｂ，３８ｂ  フィルタ条件設定機能部
１８ｃ，２８ｃ，３８ｃ  アラーム機能部
２８ｄ  比較機能部
２９  フレームバッファ
５０  監視ネットワーク
５１  ＮＭＳ
【図１】
0005012485.tif 000002
【図２】
0005012485.tif 000003
【図３】
0005012485.tif 000004
【図４】
0005012485.tif 000005
【図５】
0005012485.tif 000006
【図６】
0005012485.tif 000007
【図７】
0005012485.tif 000008
【図８】
0005012485.tif 000009
【図９】
0005012485.tif 000010
【図１０】
0005012485.tif 000011